【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
画像処理のための複数の機能を備え、各機能ごとに設定された設定情報を用いて画像処理を行う画像処理装置であって、
予め定められた表示順序に関する情報に従って画面の表示制御を行う画面表示制御手段と、
前記画面表示制御手段に基づいて表示された画面上において、前記画像処理装置が有する機能ごとに設定情報を入力する入力手段と、
ユーザより記録の指示があった場合に、前記入力手段より入力された前記設定情報を前記機能と対応づけて記憶し、ユーザより停止の指示があった場合には、予め定められた情報を前記機能と対応づけて記憶する記憶手段と、
ユーザからの指示に基づいて、前記画面表示制御手段による表示制御のもと各機能ごとに設定情報の設定制御を開始し、前記記憶手段に前記設定情報が記憶されていた場合には、該設定情報を設定するよう制御し、前記記憶手段に前記予め定めれた情報が記憶されていた場合には、設定制御を一時停止してユーザに前記入力手段からの設定情報の入力を促し、前記入力手段より設定情報が入力されると、該入力された設定情報を設定するよう制御する設定制御手段と
を備えることを特徴とする画像処理装置。
【請求項２】
前記表示順序に関する情報は、画面を識別する画面識別情報と、当該画面上で設定情報が入力される機能と、当該画面に移行する前に表示される前画面を識別する前画面識別情報とを備えることを特徴とする請求項１に記載の画像処理装置。
【請求項３】
前記予め定められた情報は、前記入力手段から入力される停止情報であることを特徴とする請求項１に記載の画像処理装置。
【請求項４】
前記予め定められた情報は、ＮＵＬＬ情報であることを特徴とする請求項１に記載の画像処理装置。
【請求項５】
画像処理のための複数の機能を備え、各機能に対してあらかじめ定められた１つ以上の詳細機能と、該詳細機能に対して設定された設定情報を用いて画像処理を行う画像処理装置であって、
前記画像処理装置が有する機能を表す情報と、前記機能のための１つ以上の詳細機能と該詳細機能に対する設定情報とを含む登録情報を記憶する記憶手段と、
ユーザの指示に基づいて、前記記憶手段から登録情報を読み出して、読み出した登録情報に前記詳細機能に対する設定情報が設定されていた場合には、該詳細機能に対して該設定情報を設定するよう制御し、読み出した登録情報に前記詳細機能に対する停止情報が記憶されていた場合には、ユーザに該詳細機能に対する設定情報の入力を促し、ユーザにより設定情報が入力されると、該入力された設定情報を該詳細機能に対して設定するよう制御する制御手段と
を備えることを特徴とする画像処理装置。
【請求項６】
画像処理のための複数の機能を備え、各機能ごとに設定された設定情報を用いて画像処理を行う画像処理装置における情報処理方法であって、
予め定められた表示順序に関する情報に従って画面の表示制御を行う画面表示制御工程と、
前記画面表示制御工程に基づいて表示された画面上において、前記画像処理装置が有する機能ごとに入力手段を介して設定情報を入力する入力工程と、
ユーザより記録の指示があった場合に、前記入力工程より入力された前記設定情報を前記機能と対応づけて記憶手段に記憶し、ユーザより停止の指示があった場合には、予め定められた情報を前記機能と対応づけて記憶手段に記憶する記憶工程と、
ユーザからの指示に基づいて、前記画面表示制御手段による表示制御のもと各機能ごとに設定情報の設定制御を開始し、前記記憶手段に前記設定情報が記憶されていた場合には、該設定情報を設定するよう制御し、前記記憶手段に前記予め定められた情報が記憶されていた場合には、設定制御を一時停止してユーザに前記入力手段からの設定情報の入力を促し、前記入力手段より設定情報が入力されると、該入力された設定情報を設定するよう制御する設定制御工程と
を備えることを特徴とする情報処理方法。
【請求項７】
前記表示順序に関する情報は、画面を識別する画面識別情報と、当該画面上で設定情報が入力される機能と、該画面に移行する前に表示される前画面を識別する前画面識別情報とを備えることを特徴とする請求項６に記載の情報処理方法。
【請求項８】
前記予め定められた情報は、前記入力手段から入力される停止情報であることを特徴とする請求項６に記載の情報処理方法。
【請求項９】
前記予め定められた情報は、ＮＵＬＬ情報であることを特徴とする請求項６に記載の情報処理方法。
【請求項１０】
画像処理のための複数の機能を備え、各機能に対してあらかじめ定められた１つ以上の詳細機能と、該詳細機能に対して設定された設定情報を用いて画像処理を行う画像処理装置における情報処理方法であって、
前記画像処理装置が有する機能を表す情報と、前記機能のための１つ以上の詳細機能と該詳細機能に対する設定情報とを含む登録情報を記憶手段に記憶する記憶工程と、
ユーザの指示に基づいて、前記記憶手段から登録情報を読み出して、読み出した登録情報に前記詳細機能に対する設定情報が設定されていた場合には、該詳細機能に対して該設定情報を設定するよう制御し、読み出した登録情報に前記詳細機能に対する停止情報が記憶されていた場合には、ユーザに該詳細機能に対する設定情報の入力を促し、ユーザにより設定情報が入力されると、該入力された設定情報を該詳細機能に対して設定するよう制御する制御工程と
を備えることを特徴とする情報処理方法。
【請求項１１】
請求項６乃至１０のいずれか１項に記載の情報処理方法をコンピュータによって実行させるためのプログラムを格納したコンピュータ読み出し可能な記憶媒体。
【請求項１２】
請求項６乃至１０のいずれか１項に記載の情報処理方法をコンピュータによって実行させるためのプログラム。
【手続補正２】
【補正対象書類名】明細書
【補正対象項目名】０００７
【補正方法】変更
【補正の内容】
【０００７】
上記の目的を達成するために本発明に係る画像処理装置は以下のような構成を備える。即ち、
画像処理のための複数の機能を備え、各機能ごとに設定された設定情報を用いて画像処理を行う画像処理装置であって、
予め定められた表示順序に関する情報に従って画面の表示制御を行う画面表示制御手段と、
前記画面表示制御手段に基づいて表示された画面上において、前記画像処理装置が有する機能ごとに設定情報を入力する入力手段と、
ユーザより記録の指示があった場合に、前記入力手段より入力された前記設定情報を前記機能と対応づけて記憶し、ユーザより停止の指示があった場合には、予め定められた情報を前記機能と対応づけて記憶する記憶手段と、
ユーザからの指示に基づいて、前記画面表示制御手段による表示制御のもと各機能ごとに設定情報の設定制御を開始し、前記記憶手段に前記設定情報が記憶されていた場合には、該設定情報を設定するよう制御し、前記記憶手段に前記予め定めれた情報が記憶されていた場合には、設定制御を一時停止してユーザに前記入力手段からの設定情報の入力を促し、前記入力手段より設定情報が入力されると、該入力された設定情報を設定するよう制御する設定制御手段とを備える。
【手続補正３】
【補正対象書類名】明細書
【補正対象項目名】００５８
【補正方法】変更
【補正の内容】
【００５８】
「はい」キー１００２を押下すると、複写機１０１にて図１１に示す内容（ユーザ登録内容１）が登録される。ユーザ登録内容１（１１００）は機能登録欄１１０１と、機能登録欄１１０１に登録された「機能」が有する「詳細機能」を記載した詳細機能登録欄１１０２と、詳細機能ごとに行ったユーザの「設定情報」を記録する設定登録欄１１０３と、詳細機能別でユーザが行った「停止情報」を記録する停止登録欄１１０４とで構成される。
【手続補正４】
【補正対象書類名】明細書
【補正対象項目名】００６７
【補正方法】変更
【補正の内容】
【００６７】
ステップＳ１５０３では、ステップＳ１５０２にて取得した「画面情報」に基づいて画面をオープンさせる。次にステップＳ１５０４では、ステップＳ１５０２（またはステップＳ１５１１）にて取得した「詳細機能」に該当する「設定情報」および「停止情報」をユーザ登録内容１（１１００）の設定登録欄１１０３および停止登録欄１１０４から取得する。
【手続補正５】
【補正対象書類名】明細書
【補正対象項目名】００７９
【補正方法】変更
【補正の内容】
【００７９】
具体的には、上記第１の実施形態では、再生処理時に所定の機能について停止情報が記録されていると判断された場合に、ユーザに設定情報の入力を促し、設定情報が入力されると、該入力された設定情報を設定するよう制御する構成としたが、本実施形態では、再生処理時に所定の機能について設定情報が記録されていないと判断された場合に（設定登録欄がＮＵＬＬ情報であったと判断された場合）、ユーザに設定情報の入力を促すよう構成する。これにより、設定内容によって、画面の移行先が変わる場合であっても、すべての移行先について登録処理を行なう必要がなくなり、利便性が向上する。図１６を用いて説明する。